(57)【要約】【課題】各ディスプレイ装置の表示領域が自動的に設定することができるマルチディスプレイシステムおよびマルチディスプレイ表示方法を提供する。【解決手段】マルチディスプレイシステムにおいて、各ディスプレイ装置を直列に接続し、予めマトリクスの配置の行数および列数と接続順を設定する。そして、先頭のディスプレイ装置で配置番号を１に設定してインクリメントした値を次のディスプレイ装置に出力し、以降、接続順に前のディスプレイ装置から配置番号を取得してインクリメントした値を次のディスプレイ装置に出力していき、終端のディスプレイ装置は、自身の配置番号を全体個数として前のディスプレイに出力し、その全体個数が順次接続順を遡って各ディスプレイ装置に伝達される。各ディスプレイ装置では、マトリクスの行数および列数と接続順と配置番号と全体個数から入力された映像のうち自身が切り出して表示すべき切り出し領域を特定して表示する。【選択図】図４
2009271424.tif 000002
【特許請求の範囲】
【請求項１】
複数のディスプレイ装置が所定の行数、列数のマトリクス状に組み合わされるとともに直列に接続されこの接続順が予め定められた前記複数のディスプレイ装置全体に１つの映像を表示するマルチディスプレイシステムであって、
前記複数のディスプレイ装置は、映像が入力される映像入力手段と、
前記映像入力手段より入力された映像を次のディスプレイ装置に出力する映像出力手段と、
前記複数のディスプレイ装置の先頭からの順番を示す配置番号を取得する配置番号取得手段と、
前記複数のディスプレイ装置の全体個数を次のディスプレイ装置から取得する全体個数取得手段と、
自身が終端であることを認識する終端認識手段と、
前記配置番号取得手段が取得した配置番号と前記全体個数取得手段が取得した全体個数と予め定められた前記マトリクスの行数、列数および接続順から自身の前記マトリクスにおける配置位置を特定する配置位置特定手段と、
前記映像入力手段に入力された映像から前記配置位置特定手段で特定した位置に対応する領域を切り出す切り出し手段と、
前記切り出し手段が切り出した領域の映像を拡大して表示する表示手段と、を備え、
前記終端認識手段により自身が終端であることを認識すると、自身の前記配置番号を前記複数のディスプレイ装置の全体個数として前のディスプレイ装置に出力する全体個数出力手段を更に備えていることを特徴とするマルチディスプレイシステム。
【請求項２】
複数のディスプレイ装置がマトリクス状に組み合わされるとともに、直列に接続されこの接続順が予め定められた前記複数のディスプレイ装置全体に１つの映像を表示するマルチディスプレイシステムであって、
前記複数のディスプレイ装置は、映像が入力される映像入力手段と、
前記映像入力手段より入力された映像を次のディスプレイ装置に出力する映像出力手段と、
前記複数のディスプレイ装置の先頭からの順番を示す配置番号を取得する配置番号取得手段と、
自身が前記マトリクスの第１行目の終端であるか否かを検出する行終端検出手段と、
自身が終端であることを認識する終端認識手段と、
前記マトリクスの行数および列数を算出する行列数算出手段と、
前記マトリクスの行数および列数を隣接するディスプレイ装置から取得する行列数取得手段と、
前記複数のディスプレイ装置の全体個数を次のディスプレイ装置から取得する全体個数取得手段と、
前記配置番号取得手段が取得した配置番号と前記行列数取得手段が取得した前記マトリクスの行数および列数と前記全体個数取得手段が取得した全体個数と予め定められた前記接続順から自身の前記マトリクスにおける配置位置を特定する配置位置特定手段と、
前記映像入力手段に入力された映像から前記配置位置特定手段で特定した位置に対応する領域を切り出す切り出し手段と、
前記切り出し手段が切り出した領域の映像を拡大して表示する表示手段と、を備え、
前記終端認識手段により自身が終端であることを認識すると、自身の前記配置番号を前記複数のディスプレイ装置の全体個数として前のディスプレイ装置に出力する全体個数出力手段と、前記行列数算出手段が算出した前記行数および列数を前のディスプレイ装置に出力する行列数出力手段と、
を更に備えていることを特徴とするマルチディスプレイシステム。
【請求項３】
前記複数のディスプレイ装置のうち、先頭のディスプレイ装置の前記配置番号取得手段は、自身の配置番号を１に設定して該配置番号をインクリメントした値を次のディスプレイ装置に出力し、２番目以降に接続されたディスプレイ装置の前記配置番号取得手段は、前のディスプレイ装置から配置番号を取得し、その値を自身の配置番号に設定するとともに該配置番号をインクリメントした値を次のディスプレイ装置に出力することを特徴とする請求項１に記載のマルチディスプレイシステム。
【請求項４】
前記複数のディスプレイ装置のうち、前記行終端検出手段によって自身が第１行目の終端であると検出したディスプレイ装置は、該ディスプレイ装置の配置番号を前記マトリクスの列数として次のディスプレイ装置に出力し、自身が第１行目の終端であると検出したディスプレイ装置以降に接続された前記複数のディスプレイ装置は、順次前記列数を次のディスプレイ装置に出力するとともに、前記行列数算出手段は、前記配置番号取得手段が取得した前記配置番号と、前に接続されたディスプレイ装置から入力された前記列数と、から前記マトリクスの行数を算出することを特徴とする請求項２に記載のマルチディスプレイシステム。
【請求項５】
前記複数のディスプレイ装置が、自身と隣接するディスプレイ装置を検出する検出手段を備えたことを特徴とする請求項１乃至４のうちいずれか一項に記載のマルチディスプレイシステム。
【請求項６】
前記終端認識手段が、前記映像出力手段に次のディスプレイ装置が接続されていないことによって自身が終端であると認識することを特徴とする請求項１乃至５のうちいずれか一項に記載のマルチディスプレイシステム。
【請求項７】
前記行終端検出手段が、前記ディスプレイ装置の側面に設けられていることを特徴とする請求項２乃至６のうちいずれか一項に記載に記載のマルチディスプレイシステム。
【請求項８】
複数のディスプレイ装置が所定の行数、列数のマトリクス状に組み合わされるとともに直列に接続されこの接続順が予め定められた前記複数のディスプレイ装置全体に１つの映像を表示するマルチディスプレイ表示方法であって、
前記複数のディスプレイ装置は、入力された映像を次のディスプレイ装置に出力し、前記複数のディスプレイ装置の先頭からの順番を示す配置番号を取得し、前記複数のディスプレイ装置の全体個数を次のディスプレイ装置から取得し、取得した前記配置番号と前記全体個数と予め定められた前記マトリクスの行数、列数および接続順から自身の前記マトリクスにおける配置位置を特定し、前のディスプレイ装置より入力された映像から前記特定した位置に対応する領域を切り出して拡大表示するとともに、自身が終端か否かを判断して終端であることを認識すると、自身の前記配置番号を前記複数のディスプレイ装置の全体個数として前のディスプレイ装置に出力することを特徴とするマルチディスプレイ表示方法。
【請求項９】
複数のディスプレイ装置がマトリクス状に組み合わされるとともに、直列に接続されこの接続順が予め定められた前記複数のディスプレイ装置全体に１つの映像を表示するマルチディスプレイ表示方法であって、
前記複数のディスプレイ装置は、入力された映像を次のディスプレイ装置に出力し、前記複数のディスプレイ装置の先頭からの順番を示す配置番号を取得し、自身が前記マトリクスの第１行目の終端であるか否かを検出し、前記マトリクスの行数および列数を隣接するディスプレイ装置から取得し、前記複数のディスプレイ装置の全体個数を次のディスプレイから取得し、取得した前記配置番号と前記マトリクスの行数および列数と前記全体個数と予め定められた前記マトリクスの接続順から自身の前記マトリクスにおける配置位置を特定し、前のディスプレイ装置より入力された映像から特定した位置に対応する領域を切り出して拡大表示するとともに、自身が終端か否かを判断して終端であることを認識すると、自身の前記配置番号を前記複数のディスプレイ装置の全体個数として前のディスプレイ装置に出力し、さらにマトリクスの行数および列数を算出して前のディスプレイ装置に出力することを特徴とするマルチディスプレイ表示方法。
【発明の詳細な説明】
【技術分野】
【０００１】
複数のディスプレイ装置を用いて１つの映像を拡大表示するマルチディスプレイシステムおよびマルチディスプレイ表示方法に関する。
【背景技術】
【０００２】
映像をより大画面で表示するために、複数のディスプレイ装置を複数行×複数列のマトリクス状に配置して、各々のディスプレイ装置は配置された位置に対応する領域を拡大表示するマルチディスプレイ装置が知られている。
【０００３】
例えば特許文献１に記載のマルチスクリーン表示装置は、ディスプレイ装置を直列に接続し同一の映像信号が供給されるようにして、各ディスプレイ装置は供給された映像信号のうち自己が表示すべき部分を拡大して表示している。
【特許文献１】特開２００３−３１６３３９号公報
【発明の開示】
【発明が解決しようとする課題】
【０００４】
しかしながら、特許文献１に記載のマルチスクリーン装置は、各ディスプレイ装置の表示領域の設定をリモコンで行っており、表示領域の設定にはユーザーによる設定が必要となっていた。
【０００５】
そこで、本発明は、各ディスプレイ装置の表示領域を自動的に設定することができるマルチディスプレイシステムおよびマルチディスプレイ表示方法を提供することを課題とする。
【課題を解決するための手段】
【０００６】
上記課題を解決するために、請求項１に記載のマルチディスプレイシステムは、複数のディスプレイ装置が所定の行数、列数のマトリクス状に組み合わさるとともに直列に接続されこの接続順が予め定められた前記複数のディスプレイ装置全体に１つの映像を表示するマルチディスプレイシステムであって、前記複数のディスプレイ装置は、映像が入力される映像入力手段と、前記映像入力手段より入力された映像を次のディスプレイ装置に出力する映像出力手段と、前記複数のディスプレイ装置の先頭からの順番を示す配置番号を取得する配置番号取得手段と、前記複数のディスプレイ装置の全体個数を次のディスプレイ装置から取得する全体個数取得手段と、自身が終端であることを認識する終端認識手段と、前記配置番号取得手段が取得した配置番号と前記全体個数取得手段が取得した全体個数と予め定められた前記マトリクスの行数、列数および接続順から自身の前記マトリクスにおける配置位置を特定する配置位置特定手段と、前記映像入力手段に入力された映像から前記配置位置特定手段で特定した位置に対応する領域を切り出す切り出し手段と、前記切り出し手段が切り出した領域の映像を拡大して表示する表示手段と、を備え、前記終端認識手段により自身が終端であることを認識すると、自身の前記配置番号を前記複数のディスプレイ装置の全体個数として前のディスプレイ装置に出力する全体個数出力手段を更に備えていることを特徴としている。
【０００７】
請求項２に記載のマルチディスプレイシステムは、複数のディスプレイ装置がマトリクス状に組み合わされるとともに、直列に接続されこの接続順が予め定められた前記複数のディスプレイ装置全体に１つの映像を表示するマルチディスプレイシステムであって、前記複数のディスプレイ装置は、映像が入力される映像入力手段と、前記映像入力手段より入力された映像を次のディスプレイ装置に出力する映像出力手段と、前記複数のディスプレイ装置の先頭からの順番を示す配置番号を取得する配置番号取得手段と、自身が前記マトリクスの第１行目の終端であるか否かを検出する行終端検出手段と、自身が終端であることを認識する終端認識手段と、前記マトリクスの行数および列数を算出する行列数算出手段と、前記マトリクスの行数および列数を隣接するディスプレイ装置から取得する行列数取得手段と、前記複数のディスプレイ装置の全体個数を次のディスプレイ装置から取得する全体個数取得手段と、前記配置番号取得手段が取得した配置番号と前記行列数取得手段が取得した前記マトリクスの行数および列数と前記全体個数取得手段が取得した全体個数と予め定められた前記接続順から自身の前記マトリクスにおける配置位置を特定する配置位置特定手段と、前記映像入力手段に入力された映像から前記配置位置特定手段で特定した位置に対応する領域を切り出す切り出し手段と、前記切り出し手段が切り出した領域の映像を拡大して表示する表示手段と、を備え、前記終端認識手段により自身が終端であることを認識すると、自身の前記配置番号を前記複数のディスプレイ装置の全体個数として前のディスプレイ装置に出力する全体個数出力手段と、前記行列数算出手段が算出した前記行数および列数を前のディスプレイ装置に出力する行列数出力手段と、を更に備えていることを特徴としている。
【０００８】
請求項８に記載のマルチディスプレイ表示方法は、複数のディスプレイ装置が所定の行数、列数のマトリクス状に組み合わされるとともに直列に接続されこの接続順が予め定められた前記複数のディスプレイ装置全体に１つの映像を表示するマルチディスプレイ表示方法であって、前記複数のディスプレイ装置は、入力された映像を次のディスプレイ装置に出力し、前記複数のディスプレイ装置の先頭からの順番を示す配置番号を取得し、前記複数のディスプレイ装置の全体個数を次のディスプレイ装置から取得し、取得した前記配置番号と前記全体個数と予め定められた前記マトリクスの行数、列数および接続順から自身の前記マトリクスにおける配置位置を特定し、前のディスプレイ装置より入力された映像から前記特定した位置に対応する領域を切り出して拡大表示するとともに、自身が終端か否かを判断して終端であることを認識すると、自身の前記配置番号を前記複数のディスプレイ装置の全体個数として前のディスプレイ装置に出力することを特徴としている。
【０００９】
請求項９に記載のマルチディスプレイ表示方法は、複数のディスプレイ装置がマトリクス状に組み合わされるとともに、直列に接続されこの接続順が予め定められた前記複数のディスプレイ装置全体に１つの映像を表示するマルチディスプレイ表示方法であって、前記複数のディスプレイ装置は、入力された映像を次のディスプレイ装置に出力し、前記複数のディスプレイ装置の先頭からの順番を示す配置番号を取得し、自身が前記マトリクスの第１行目の終端であるか否かを検出し、前記マトリクスの行数および列数を隣接するディスプレイ装置から取得し、前記複数のディスプレイ装置の全体個数を次のディスプレイから取得し、取得した前記配置番号と前記マトリクスの行数および列数と前記全体個数と予め定められた前記マトリクスの接続順から自身の前記マトリクスにおける配置位置を特定し、前のディスプレイ装置より入力された映像から特定した位置に対応する領域を切り出して拡大表示するとともに、自身が終端か否かを判断して終端であることを認識すると、自身の前記配置番号を前記複数のディスプレイ装置の全体個数として前のディスプレイ装置に出力し、さらにマトリクスの行数および列数を算出して前のディスプレイ装置に出力することを特徴としている。
【発明を実施するための最良の形態】
【００１０】
以下、本発明の一実施形態にかかるマルチディスプレイシステムを説明する。本発明の一実施形態にかかるマルチディスプレイシステムは、映像入力手段に映像が入力され、映像出力手段が映像入力手段から入力された映像を接続順における次のディスプレイ装置に出力し、配置番号取得手段が複数のディスプレイ装置の先頭からの順番を示す配置番号を取得し、全体個数取得手段が複数のディスプレイ装置の全体個数を接続順における次のディスプレイ装置から取得し、終端認識手段が自身が終端であることを認識し、全体個数出力手段が終端認識手段により自身が終端であることを認識すると、自身の配置番号を複数のディスプレイ装置の全体個数として接続順における前のディスプレイ装置に出力し、配置位置特定手段が配置番号取得手段が取得した配置番号と全体個数取得手段が取得した全体個数と予め定められたマトリクスの行数、列数および接続順から自身のマトリクスにおける配置位置を特定し、切り出し手段が映像入力手段に入力された映像から配置位置特定手段で特定した位置に対応する領域を切り出して、表示手段が切り出した領域の映像を拡大して表示しているので、複数のディスプレイ装置のうち終端に接続されたディスプレイ装置自身が終端であることを認識して複数のディスプレイ装置の全体個数を算出し、その全体個数と予め設定された行数列数および接続順から自身の表示位置を特定して表示するとともに、複数のディスプレイ装置の全体個数を直列接続されている接続順における前のディスプレイ装置に出力して、接続順における前のディスプレイ装置では、その全体個数と配置番号と予め設定された行数列数および接続順から自身の表示位置を特定して表示することができるために、自身の表示位置を自動的に認識して設定することができる。
【００１１】
また、映像入力手段に映像が入力され、映像出力手段が映像入力手段から入力された映像を接続順における次のディスプレイ装置に出力し、配置番号取得手段が複数のディスプレイ装置の先頭からの順番を示す配置番号を取得し、行終端検出手段が自身が第１行目の終端であるか否かを検出し、終端認識手段自身が終端であることを認識し、行列数算出手段がマトリクスの行数および列数を算出し、行列数取得手段がマトリクスの行数および列数を隣接するディスプレイ装置から取得し、全体個数取得手段が複数のディスプレイ装置の全体個数を接続順における次のディスプレイ装置から取得し、配置位置特定手段が配置番号取得手段が取得した配置番号と行列数取得手段が取得したマトリクスの行数および列数と全体個数取得手段が取得した全体個数と予め定められた接続順から自身のマトリクスにおける配置位置を特定し、切り出し手段が映像入力手段に入力された映像から配置位置特定手段で特定した位置に対応する領域を切り出して、表示手段が切り出し手段が切り出した領域に映像を拡大して表示するとともに、終端認識手段により自身が終端であることを認識すると、全体個数出力手段が自身の配置番号を複数のディスプレイ装置の全体個数として接続順における前のディスプレイ装置に出力し、さらに行列数出力手段が行列数算出手段が算出した行数および列数を接続順における前のディスプレイ装置に出力するので、複数のディスプレイ装置のうち終端に接続されたディスプレイ装置が自身が終端であることを認識してマトリクスの行数および列数を算出し、その行数および列数と複数のディスプレイ装置の全体個数とマトリクスの接続順から自身の表示位置を特定して表示するとともに、複数のディスプレイ装置の全体個数と行数および列数を直列接続されている接続順における前のディスプレイ装置に出力して、接続順における前のディスプレイ装置では、その全体個数と行数および列数と配置番号とマトリクスの接続順とから自身の表示位置を特定して表示してすることができるために、行数や列数が予め設定されていない場合でも自身の表示位置を自動的に認識して設定することができる。
【００１２】
また、複数のディスプレイ装置のうち、先頭のディスプレイ装置の配置番号取得手段は、自身の配置番号を１に設定して該配置番号をインクリメントした値を接続順における次のディスプレイ装置に出力し、２番目以降に接続されたディスプレイ装置の配置番号取得手段は、接続順における前のディスプレイ装置から配置番号を取得し、その値を自身の配置番号に設定するとともに該配置番号をインクリメントした値を接続順における次のディスプレイ装置に出力してもよい。このようにすることにより、各ディスプレイ装置に配置番号を設定しつつ終端のディスプレイ装置では自身の配置番号が複数のディスプレイ装置の全体個数とすることができる。
【００１３】
また、複数のディスプレイ装置のうち、行終端検出手段によって自身が第１行目の終端であると検出したディスプレイ装置は、該ディスプレイ装置の配置番号をマトリクスの列数として接続順における次のディスプレイ装置に出力し、自身が第１行目の終端であると検出したディスプレイ装置以降に接続された複数のディスプレイ装置は、順次列数を接続順における次のディスプレイ装置に出力して、行列数算出手段は、配置番号取得手段が取得した配置番号と、前に接続されたディスプレイ装置から入力された列数と、からマトリクスの行数を算出してもよい。このようにすることにより、行数や列数をカウントする専用のカウンタなどが必要無く容易に列数を算出することができ、また、行数を容易に算出することができる。
【００１４】
また、複数のディスプレイ装置が、自身と隣接するディスプレイ装置を検出する検出手段を備えてもよい。このようにすることにより、例えば先頭のディスプレイ装置や終端のディスプレイ装置の検出を自身と隣接するディスプレイ装置の有無によって検出することができる。
【００１５】
また、終端認識手段が、映像出力手段に接続順における次のディスプレイ装置が接続されていないことによって自身が終端であることを認識してもよい。このようにすることにより、出力手段の接続または未接続を検出するだけで自身が終端であることを認識することができる。
【００１６】
また、行終端検出手段が、複数のディスプレイ装置の側面に設けられていてもよい。このようにすることにより、複数のディスプレイ装置の側面に接触または近くに接近して配置されていることを検出することができ、それによって行の終端か否かを検出することができる。
【００１７】
また、本発明の一実施形態にかかるマルチディスプレイ表示方法は、入力された映像を接続順における次のディスプレイ装置に出力し、複数のディスプレイ装置の先頭からの順番を示す配置番号を取得し、複数のディスプレイ装置の全体個数を接続順における次のディスプレイ装置から取得し、自身が終端であるか否か判断して終端であることを認識すると、自身の配置番号を複数のディスプレイ装置の全体個数として接続順における前のディスプレイ装置に出力し、配置番号と全体個数と予め定められたマトリクスの行数、列数および接続順から自身のマトリクスにおける配置位置を特定し、入力された映像から特定した位置に対応する領域を切り出して、切り出した領域の映像を拡大して表示しているので、複数のディスプレイ装置のうち終端に接続されたディスプレイ装置自身が終端であることを認識して複数のディスプレイ装置の全体個数を算出し、その全体個数と予め設定された行数列数および接続順から自身の表示位置を特定して表示するとともに、複数のディスプレイ装置の全体個数を直列接続されている接続順における前のディスプレイ装置に出力して、接続順における前のディスプレイ装置では、その全体個数と配置番号と予め設定された行数列数および接続順から自身の表示位置を特定して表示することができるために、自身の表示位置を自動的に認識して設定することができる。
【００１８】
また、入力された映像を接続順における次のディスプレイ装置に出力し、複数のディスプレイ装置の先頭からの順番を示す配置番号を取得し、自身が第１行目の終端であるか否かを検出し、自身が終端であることを認識し、マトリクスの行数および列数を算出し、マトリクスの行数および列数を隣接するディスプレイ装置から取得し、複数のディスプレイ装置の全体個数を接続順における次のディスプレイ装置から取得し、配置番号とマトリクスの行数および列数と全体個数と予め定められたマトリクスの接続順から自身のマトリクスにおける配置位置を特定し、入力された映像から特定した位置に対応する領域を切り出して、切り出し手段が切り出した領域に映像を拡大して表示するとともに、自身が終端であることを認識すると、自身の配置番号を複数のディスプレイ装置の全体個数として接続順における前のディスプレイ装置に出力し、さらに算出した行数および列数を接続順における前のディスプレイ装置に出力するので、複数のディスプレイ装置のうち終端に接続されたディスプレイ装置自身が終端であることを認識してマトリクスの行数および列数を算出し、その行数および列数と複数のディスプレイ装置の全体個数とマトリクスの接続順から自身の表示位置を特定して表示するとともに、複数のディスプレイ装置の全体個数と行数および列数を直列接続されている接続順における前のディスプレイ装置に出力して、接続順における前のディスプレイ装置では、その全体個数と行数および列数と配置番号とマトリクスの接続順とから自身の表示位置を特定して表示することができるために、行数や列数が予め設定されていない場合でも自身の表示位置を自動的に認識して設定することができる。
【実施例１】
【００１９】
本発明の第１の実施例にかかるマルチディスプレイシステム１を図１乃至図８を参照して説明する。本発明の第１の実施例にかかるマルチディスプレイシステム１は、図１に示すように、ディスプレイ装置２１、ディスプレイ装置２２、ディスプレイ装置２３、ディスプレイ装置２４、ディスプレイ装置２５、ディスプレイ装置２６、ディスプレイ装置２７、ディスプレイ装置２８、ディスプレイ装置２９（以降、ディスプレイ装置２１〜２９と略す）の９つのディスプレイ装置から構成されており、図１に示すように３行３列のマトリクスに配置されている。
【００２０】
ディスプレイ装置２１〜２９は、図２に示すようにディスプレイ装置２１、ディスプレイ装置２２、ディスプレイ装置２３、ディスプレイ装置２６、ディスプレイ装置２５、ディスプレイ装置２４、ディスプレイ装置２７、ディスプレイ装置２８、ディスプレイ装置２９の順にマトリクスとして配置した際にジグザグになるように直列接続されており、外部から入力された映像信号がディスプレイ装置２１から接続順に各ディスプレイ装置に同じ映像が伝送される。
【００２１】
次に、ディスプレイ装置２１〜２９の内部ブロック構成を図３を参照して説明する。図３ではディスプレイ装置２１を示すが他のディスプレイ装置も同様である。ディスプレイ装置２１は、映像入力２ａと、映像処理部２ｂと、表示部２ｃと、ディスプレイマイコン２ｄと、配置方向センサ上２ｅと、配置方向センサ下２ｆと、配置方向センサ右２ｇと、配置方向センサ左２ｈと、バッファ２ｉと、映像出力２ｊと、制御入出力Ａ２ｋと制御入出力Ｂ２ｍと、を備えている。
【００２２】
映像入力手段としての映像入力２ａは、外部または隣接するディスプレイ装置（接続順で前のディスプレイ装置）の映像出力２ｊから映像信号が入力される端子であり、映像入力２ａに入力された映像信号は映像処理部２ｂおよびバッファ２ｉに入力される。
【００２３】
切り出し手段としての映像処理部２ｂは、映像入力２ａから入力された映像信号から、後述するディスプレイマイコン２ｄの指示する領域を切り出して表示部２ｃに出力する。
【００２４】
表示手段としての表示部２ｃは、例えば液晶ディスプレイやプラズマディスプレイなどで構成され、映像処理部２ｂから入力された切り出された映像を液晶ディスプレイやプラズマディスプレイなどの解像度に合わせて拡大して画面一杯に表示する。
【００２５】
配置番号取得手段、全体個数取得手段、終端認識手段、配置位置特定手段、全体個数出力手段、行列数取得手段、行列数算出手段としてのディスプレイマイコン２ｄは、ＣＰＵやメモリを内蔵したマイクロコンピュータである。ディスプレイマイコン２ｄは、制御入出力Ａ２ｋから入力される配置番号を自身の配置番号とし、自身の配置番号をインクリメントして制御入出力Ｂ２ｍから出力する。つまり、この配置番号は先頭からの接続順における順番を示す番号である。さらに、配置方向センサ上２ｅ、配置方向センサ下２ｆ、配置方向センサ右２ｇ、配置方向センサ左２ｈ、の検出結果と、ディスプレイ装置２１〜２９の全体個数と自身の配置番号と予め設定された行数、列数およびマトリクスのどの位置が先頭でどういうジグザグの接続になっているかといった接続順（接続方法）から自身の配置位置を特定し、映像処理部２ｂに切り出す領域の指示を行う。
【００２６】
行終端検出手段、検出手段としての配置方向センサ上２ｅ、配置方向センサ下２ｆ、配置方向センサ右２ｇ、配置方向センサ左２ｈは、接触センサや測距センサまたは接点スイッチなどから構成され、ディスプレイ装置２１〜２９の側面にそれぞれ配置されている。つまり、配置方向センサ上２ｅはディスプレイ装置２１〜２９の上側の側面に、配置方向センサ下２ｆはディスプレイ装置２１〜２９の下側の側面に、配置方向センサ右２ｇはディスプレイ装置２１〜２９の右側の側面に、配置方向センサ左２ｈはディスプレイ装置２１〜２９の左側の側面に、それぞれ配置されている。そして、これらの配置方向センサは、各センサが配置された側面に、隣接するディスプレイ装置が存在するか否かを検出している。
【００２７】
バッファ２ｉは映像入力２ａから入力された映像信号の波形を整形し映像出力２ｊから隣接するディスプレイ装置（接続順の次のディスプレイ装置）に出力する。
【００２８】
映像出力手段としての映像出力２ｊは、隣接するディスプレイ装置に映像信号を出力する端子である。但し、ディスプレイ装置２９は終端であるため何も接続されない。
【００２９】
制御入出力Ａ２ｋは隣接するディスプレイ装置（接続順の前のディスプレイ装置）から配置番号が入力されるとともに、ディスプレイ装置２１〜２９の全体個数を隣接するディスプレイ装置に出力する。制御入出力Ａ２ｋが接続される隣接するディスプレイ装置は映像入力２ａが接続されているディスプレイ装置と同じディスプレイ装置である。したがって、先頭であるディスプレイ装置２１の制御入出力Ａ２ｋには何も接続されない。
【００３０】
制御入出力Ｂ２ｍは自身の配置番号インクリメントした値を隣接するディスプレイ装置（接続順の次のディスプレイ装置）に出力するとともに、隣接するディスプレイ装置からディスプレイ装置２１〜２９の全体個数が入力される。制御入出力Ｂ２ｍが接続される隣接するディスプレイ装置は映像出力２ｊが接続されているディスプレイ装置と同じディスプレイ装置である。したがって、終端であるディスプレイ装置２９の制御入出力Ｂ２ｍには何も接続されない。
【００３１】
次に、ディスプレイ装置２１〜２９における配置位置の特定および映像の切り出し動作を図４のフローチャートを参照して説明する。図４のフローチャートはディスプレイ装置２１〜２９の各ディスプレイマイコン２ｄにおいて実行される。本実施例においては、マトリクスの行数および列数や、接続順（左上を先頭として、行を右に進んで右端で１行下がって、行を左に進んで、１行下がるということを繰り返すジグザグ接続方法となっている）は予め各ディスプレイ装置２１〜２９の各ディスプレイマイコン２ｄに設定されている。
【００３２】
まず、ステップＳ１０１において、自身が先頭のディスプレイ装置か否かを判断し、先頭のディスプレイ装置である場合（ＹＥＳの場合）は、ステップＳ１０２に進み、先頭のディスプレイ装置でない場合（ＮＯの場合）はステップＳ１０３に進む。先頭のディスプレイ装置であることは、制御入出力Ａ２ｋに何も接続されていないことで判断してもよいし、先頭とするディスプレイ装置の位置（図２の場合画面の左上）であるか否かを配置位置センサ上２ｅ〜２ｈの検出結果に基づいて判断してもよい。
【００３３】
次に、ステップＳ１０２において、自身が先頭のディスプレイ装置であると判明したため自身の配置番号を１に設定してステップＳ１０４に進む。
【００３４】
ステップＳ１０３においては、２番目以降に接続されたディスプレイ装置であると判明したので接続順における前のディスプレイ装置から配置番号を取得し、その配置番号を自身の配置番号に設定してステップＳ１０４に進む。
【００３５】
次に、ステップＳ１０４において、接続順における次のディスプレイ装置に映像信号を出力可能か、つまり、自身の映像出力２ｊと接続順における次のディスプレイ装置の映像入力２ａとが接続されているか否かを判断し、出力可能な場合（接続順における次のディスプレイ装置が接続されている場合）はステップＳ１０５に進み、出力可能でない場合（接続順における次のディスプレイ装置が接続されていない場合）は、ステップＳ１０９に進む。また、映像出力２ｊと映像入力２ａとの接続関係だけでなく、制御入出力Ａ２ｋと制御入出力Ｂ２ｍとが接続されているか否かで判断してもよい。
【００３６】
次に、ステップＳ１０５において、自身の配置番号をインクリメントして接続順における次のディスプレイ装置に出力しステップＳ１０６に進む。
【００３７】
次に、ステップＳ１０６において、ディスプレイ装置２１〜２９の全体個数を接続順における次のディスプレイ装置から取得してステップＳ１０７に進む。
【００３８】
次に、ステップＳ１０７において、自身が先頭のディスプレイ装置か否かを判断し、先頭のディスプレイ装置である場合（ＹＥＳの場合）は、ステップＳ１１１に進み、先頭のディスプレイ装置でない場合（ＮＯの場合）はステップＳ１０８に進む。先頭のディスプレイ装置であることは、ステップＳ１０１と同様に判断すればよい。
【００３９】
次に、ステップＳ１０８において、ディスプレイ装置２１〜２９の全体個数を接続順における前のディスプレイ装置に出力してステップＳ１１１に進む。
【００４０】
ステップＳ１０９においては、接続順における次のディスプレイ装置に映像信号を出力可能でない、つまり、接続順における次のディスプレイ装置が接続されていないので、終端のディスプレイ装置と判断してステップＳ１１０に進む。
【００４１】
次に、ステップＳ１１０において、自身の配置番号をディスプレイ装置２１〜２９の全体個数として接続順における前のディスプレイ装置に出力しステップＳ１１１に進む。
【００４２】
次に、ステップＳ１１１において、切り出し領域を特定して終了する。切り出し領域の特定は、予め定められているマトリクスの行数および列数、接続順と、自身の配置番号およびディスプレイ装置２１〜２９の全体個数に基づいて自身の配置位置を特定し、その位置に対応した領域を切り出す。例えば、図２の場合、マトリクスは３行３列でディスプレイ装置２１〜２９の全体個数が９である。このうちディスプレイ装置２１は先頭なのでマトリクスにおいては左上が配置位置と特定され、映像は、映像の水平方向を３分割、映像の垂直方向を３分割した９つの領域の左上に相当する領域を切り出して表示する。ディスプレイ装置２５は３行３列の５番目なのでマトリクスにおいては中央が配置位置と特定され、映像は、前記９つの領域の中央に相当する領域を切り出して表示する。ディスプレイ装置２９の場合は３行３列の終端なのでマトリクスにおいては右下が配置位置と特定され、映像は、前記９つの領域の右下に相当する領域を切り出して表示する。
【００４３】
本実施例によれば、マトリクス状に配置されたマルチディスプレイシステムにおいて、各ディスプレイ装置を直列に接続し、予めマトリクスの配置の行数および列数と、接続順を設定する。そして、先頭のディスプレイ装置で配置番号を１に設定してインクリメントした値を接続順における次のディスプレイ装置に出力し、以降、接続順に前のディスプレイ装置から配置番号を取得してインクリメントした値を接続順における次のディスプレイ装置に出力していき、終端のディスプレイ装置は、自身の配置番号をディスプレイ装置２１〜２９の全体個数として接続順における前のディスプレイに出力して、そのディスプレイ装置２１〜２９の全体個数が順次接続順を遡って各ディスプレイ装置に伝達される。各ディスプレイ装置では、マトリクスの行数および列数と、接続順と、配置番号と、ディスプレイ装置２１〜２９の全体個数から入力された映像のうち自身が切り出して表示すべき切り出し領域を特定する。以上のような動作を行っているので、自動的に表示位置を設定することができると共に、配置位置（切り出し位置）の特定処理を簡単にすることができる。
【００４４】
また、映像出力２ｊに接続順における次のディスプレイ装置が接続されていないことによって自身が終端であることを判断しているので、映像出力２ｊ（若しくは制御入出力Ｂ２ｍ）の接続または未接続を検出するだけで自身が終端であるか否かを認識することができる。
【００４５】
また、配置方向センサ上２ｅ、配置方向センサ下２ｆ、配置方向センサ右２ｇ、配置方向センサ左２ｈが、ディスプレイ装置２１〜２９の側面に設けられているので、ディスプレイ装置２１〜２９の側面に接触または近くに接近して配置されていることを検出することができ、それによって隣接するディスプレイ装置の有無を検出して先頭や終端のディスプレイ装置を特定することができる。同様に行端に位置するディスプレイ装置と特定することができる。
【００４６】
なお、上述した実施例では左上を先頭として直列接続する接続順としていたが、それに限らず図５に示すように右上を先頭として直列接続する接続順に適用してもよいし、図６や図７に示すように左下や右下を先頭として直列接続する接続順に適用してもよい。あるいは、図８に示すように、列方向から順に配置番号が付与される接続順としてもよい。
【００４７】
また、マルチディスプレイシステムの構成として３行３列に限らず２行２列や４行４列以上でも適用できるのは勿論、４行３列や３行４列などの行と列の数が異なる場合も本発明を適用することができる。
【実施例２】
【００４８】
次に、本発明の第２の実施例にかかるマルチディスプレイシステムを図９を参照して説明する。なお、前述した第１の実施例と同一部分には、同一符号を付して説明を省略する。
【００４９】
第１の実施例では予めマトリクスの行数と列数を設定していたが、本実施例は、予めマトリクスの行数と列数は設定しない。本実施例のディスプレイ装置２１〜２９における配置位置の特定および映像の切り出し動作を図９のフローチャートを参照して説明する。接続順としては図２の接続を例に説明する。また、この接続順（左上を先頭として、行を右に進んで右端で１行下がって、行を左に進んで、１行下がるということを繰り返すジグザグ接続方法となっている）は第１の実施例と同様に予め各ディスプレイ装置２１〜２９のディスプレイマイコン２ｄに設定されている。
【００５０】
まず、ステップＳ２０１において、自身が先頭のディスプレイ装置か否かを判断し、先頭のディスプレイ装置である場合（ＹＥＳの場合）は、ステップＳ２０２に進み、先頭のディスプレイ装置でない場合（ＮＯの場合）はステップＳ２０３に進む。先頭のディスプレイ装置であることは、第１の実施例と同様に、制御入出力Ａ２ｋに何も接続されていないことで判断してもよいし、先頭とするディスプレイ装置の位置（図２の場合画面の左上）であるか否かを配置方向センサ上２ｅ、配置方向センサ下２ｆ、配置方向センサ右２ｇ、配置方向センサ左２ｈの検出結果に基づいて判断してもよい。
【００５１】
次に、ステップＳ２０２において、自身が先頭のディスプレイ装置であると判明したため配置番号を１に設定してステップＳ２０４に進む。
【００５２】
一方、ステップＳ２０３において、接続順における前のディスプレイ装置から配置番号を取得し、その配置番号を自身の配置番号に設定してステップＳ２０４に進む。
【００５３】
次に、ステップＳ２０４において、自身の配置位置がマトリクスにおいて１行目のディスプレイ装置であるか否かを判断し、１行目のディスプレイ装置である場合（ＹＥＳの場合）はステップＳ２０５に進み、１行目のディスプレイ装置でない場合（ＮＯの場合）はステップＳ２０７に進む。自身が１行目か否かは、配置方向センサ上２ｅ、配置方向センサ下２ｆ、配置方向センサ右２ｇ、配置方向センサ左２ｈの検出結果より判断する。配置方向センサ上２ｅが隣接するディスプレイ装置を検出しない場合は第１行目であると判断できる。
【００５４】
次に、ステップＳ２０５において、自身の配置位置がマトリクスにおいて右上のディスプレイ装置であるか否かを判断し、右上のディスプレイ装置である場合（ＹＥＳの場合）はステップＳ２０６に進み、右上のディスプレイ装置でない場合（ＮＯの場合）はステップＳ２０８に進む。自身が右上か否かは、配置方向センサ上２ｅ、配置方向センサ下２ｆ、配置方向センサ右２ｇ、配置方向センサ左２ｈの検出結果より判断する。配置方向センサ上２ｅと配置方向センサ右２ｇは隣接するディスプレイ装置が検出されずに配置方向センサ下２ｆと配置方向センサ左２ｈは隣接するディスプレイ装置が検出された場合は自身が右上であると判断できる。
【００５５】
ステップＳ２０６において、このときの配置番号を列数Ａとして設定し接続順における次のディスプレイ装置へ出力してステップＳ２０８に進む。つまり、配置位置が右上であることは第１行目の終端を示すので、その際の配置番号（図２の場合は３）はマトリクスの１行当たりの列数に相当する。そして、この１行当たりの列数（列数Ａ）はマトリクスの終端のディスプレイ装置まで伝達して行数の算出に用いる。なお、列数Ａは制御入出力Ｂ２ｍから接続順における次のディスプレイ装置に出力される。
【００５６】
一方、ステップＳ２０７においては、配置番号をインクリメントして接続順における次のディスプレイ装置に出力しステップＳ２０８に進む。
【００５７】
次に、ステップＳ２０８において、接続順における次のディスプレイ装置に映像信号を出力可能か、つまり、自身の映像出力２ｊと接続順における次のディスプレイ装置の映像入力２ａとが接続されているか否かを判断し、出力可能な場合（接続順における次のディスプレイ装置が接続されている場合）はステップＳ２１１に進み、出力可能でない場合（接続順における次のディスプレイ装置が接続されていない場合）は、ステップＳ２０９に進む。また、第１の実施例と同様に、映像出力２ｊと映像入力２ａとの接続関係だけでなく、制御入出力Ａ２ｋと制御入出力Ｂ２ｍとが接続されているか否かで判断してもよい。
【００５８】
次に、ステップＳ２０９において、当該ディスプレイ装置は終端のディスプレイ装置であるので、自身の配置番号＝ディスプレイ装置２１〜２９の全体個数として、マトリクスの行数を、ディスプレイ装置２１〜２９の全体個数÷列数Ａで算出しステップＳ２１０に進む。
【００５９】
次に、ステップＳ２１０において、ディスプレイ装置２１〜２９の全体個数と行数を接続順における前のディスプレイ装置へ出力し、列数Ａは列数Ｂとして接続順における前のディスプレイ装置へ出力する。列数Ｂは、ステップＳ２０４で列数が確定した後の列数Ａと同じ値であるが、伝達方向が異なるために区別する。
【００６０】
一方、ステップＳ２１１において、配置番号をインクリメントして接続順における次のディスプレイ装置に出力するとともに列数Ａをそのまま接続順における次のディスプレイ装置に出力してステップＳ２１２に進む。
【００６１】
次に、ステップＳ２１２においては、ディスプレイ装置２１〜２９の全体個数と行数と列数Ｂを接続順における次のディスプレイ装置から取得してステップＳ２１３に進む。
【００６２】
次に、ステップＳ２１３において、自身が先頭のディスプレイ装置か否かを判断し、先頭のディスプレイ装置である場合（ＹＥＳの場合）は、ステップＳ２１５に進み、先頭のディスプレイ装置でない場合（ＮＯの場合）はステップＳ２１４に進む。先頭のディスプレイ装置であることは、ステップＳ２０１と同様に判断すればよい。
【００６３】
次に、ステップＳ２１４において、ディスプレイ装置２１〜２９の全体個数と行数と列数Ｂを接続順における前のディスプレイ装置に出力してステップＳ２１５に進む。
【００６４】
次に、ステップＳ２１５において、切り出し領域を特定して終了する。切り出し領域の特定は、予め定められている接続順、自身の配置番号、終端のディスプレイ装置で算出したディスプレイ装置２１〜２９の全体個数、行数、列数Ｂに基づいて自身の配置位置を特定する。例えば、図２の場合、ディスプレイ装置２３において、列数Ａ（列数Ｂ）を認識し、ディスプレイ装置２９において、全体個数を認識する。そして全体個数と列数Ａ（列数Ｂ）を用いて行数を算出することにより、マトリクスは３行３列で全体個数が９であることを認識する。このうちディスプレイ装置２１は先頭なのでマトリクスにおいては左上が配置位置と特定され、映像は、映像の水平方向を３分割、映像の垂直方向を３分割した９つの領域の左上に相当する領域を切り出して表示する。ディスプレイ装置２５は３行３列の５番目なのでマトリクスにおいては中央が配置位置と特定され、映像は、前記９つの領域の中央に相当する領域を切り出して表示する。ディスプレイ装置２９の場合は３行３列の終端なのでマトリクスにおいては右下が配置位置と特定され、映像は、前記９つの領域の右下に相当する領域を切り出して表示する。
【００６５】
本実施例によれば、マトリクス状に配置されたマルチディスプレイシステムにおいて、各ディスプレイ装置を直列に接続し、予めマルチディスプレイシステム１の接続順を設定する。そして、先頭のディスプレイ装置で配置番号を１に設定してインクリメントした値を接続順における次のディスプレイ装置に出力し、以降、接続順に前のディスプレイ装置から配置番号を取得してインクリメントした値を接続順における次のディスプレイ装置に出力していく。次に、右上の配置番号を列数Ａとして終端のディスプレイ装置まで伝達し、終端のディスプレイ装置は、自身の配置番号をディスプレイ装置２１〜２９の全体個数としてその全体個数を列数Ａで除算して行数を求めて、このディスプレイ装置２１〜２９の全体個数と行数と列数Ａを列数Ｂとして接続順における前のディスプレイに出力し、この３つのパラメータが順次接続順を遡って各ディスプレイ装置に伝達される。そして、各ディスプレイ装置では、マトリクスの行数および列数Ｂと、接続順と、配置番号と、ディスプレイ装置２１〜２９の全体個数から入力された映像のうち自身が切り出して表示すべき切り出し領域を特定しているので、マトリクスの行数や列数を設定しなくても、行数と列数を求めて自動的に表示位置を設定することができると共に、配置位置（切り出し位置）の特定処理を簡単にすることができる。
【００６６】
なお、本実施例においても、図５〜図８のような接続順に適用することが可能である。図８の接続順の場合は、マトリクスの縦方向を列、横方向を行として読み替えることにより図９のフローチャートを適用することができる。また、行数や列数も２行２列以上であれば、３行４列など行数と列数が異なる場合も含め制限無く適用することができる。
【００６７】
また、上述した第２の実施例ではディスプレイ装置２３で確定したマトリクスの列数で終端のディスプレイ装置２９に伝達される列数Ａと、マトリクスの全体個数と行数と合わせて終端のディスプレイ装置２９から先頭のディスプレイ装置２１に伝達される列数Ｂの２つの列数を用いていたが、ディスプレイ装置２３で列数が確定した際に終端のディスプレイ装置２９に伝達するとともに先頭のディスプレイ装置２１にも伝達するようにして、終端のディスプレイ装置２９からはマトリクスの全体個数と行数のみ伝達するようにしてもよい。
【００６８】
前述した実施例によれば、以下のマルチディスプレイシステムおよびマルチディスプレイ表示方法が得られる。
【００６９】
（付記１）複数のディスプレイ装置２１〜２９が所定の行数、列数のマトリクス状に組み合わされるとともに直列に接続されこの接続順が予め定められた複数のディスプレイ装置２１〜２９全体に１つの映像を表示するマルチディスプレイシステム１であって、
複数のディスプレイ装置２１〜２９は、映像が入力される映像入力２ａと、
映像入力２ａより入力された映像を次のディスプレイ装置に出力する映像出力２ｊと、
複数のディスプレイ装置２１〜２９の先頭からの順番を示す配置番号を取得するディスプレイマイコン２ｄと、
複数のディスプレイ装置２１〜２９の全体個数を次のディスプレイ装置から取得するディスプレイマイコン２ｄと、
自身が終端であることを認識するディスプレイマイコン２ｄと、
ディスプレイマイコン２ｄが取得した配置番号とディスプレイマイコン２ｄが取得した全体個数と予め定められたマトリクスの行数、列数および接続順から自身のマトリクスにおける配置位置を特定するディスプレイマイコン２ｄと、
映像入力２ａに入力された映像からディスプレイマイコン２ｄで特定した位置に対応する領域を切り出す映像処理部２ｂと、
映像処理部２ｂが切り出した領域の映像を拡大して表示する表示部２ｃと、を備え、
ディスプレイマイコン２ｄにより自身が終端であることを認識すると、自身の配置番号を複数のディスプレイ装置２１〜２９の全体個数として前のディスプレイ装置に出力するディスプレイマイコン２ｄを更に備えていることを特徴とするマルチディスプレイシステム１。
【００７０】
このマルチディスプレイシステム１によれば、複数のディスプレイ装置２１〜２９のうち終端に接続されたディスプレイ装置２９自身が終端であることを認識して複数のディスプレイ装置２１〜２９の全体個数を算出し、その全体個数と予め設定された行数列数および接続順から自身の表示位置を特定して表示するとともに、複数のディスプレイ装置２１〜２９の全体個数を直列接続されている接続順における前のディスプレイ装置２８に出力して、接続順における前のディスプレイ装置２８では、その全体個数と配置番号と予め設定された行数列数および接続順から自身の表示位置を特定して表示することができるために、自身の表示位置を自動的に認識して設定することができる。
【００７１】
（付記２）複数のディスプレイ装置２１〜２９がマトリクス状に組み合わされるとともに、直列に接続されこの接続順が予め定められた複数のディスプレイ装置２１〜２９全体に１つの映像を表示するマルチディスプレイシステム１であって、
複数のディスプレイ装置２１〜２９は、映像が入力される映像入力２ａと、
映像入力２ａより入力された映像を次のディスプレイ装置に出力する映像出力２ｊと、複数のディスプレイ装置２１〜２９の先頭からの順番を示す配置番号を取得するディスプレイマイコン２ｄと、
自身が前記マトリクスの第１行目の終端であるか否かを検出する配置方向センサ上２ｅ、配置方向センサ下２ｆ、配置方向センサ右２ｇ、配置方向センサ左２ｈと、
自身が終端であることを認識するディスプレイマイコン２ｄと、
前記マトリクスの行数および列数を算出するディスプレイマイコン２ｄと、
マトリクスの行数および列数を隣接するディスプレイ装置から取得するディスプレイマイコン２ｄと、
複数のディスプレイ装置２１〜２９の全体個数を前のディスプレイから取得するディスプレイマイコン２ｄと、
ディスプレイマイコン２ｄが取得した配置番号とディスプレイマイコン２ｄが取得したマトリクスの行数および列数とディスプレイマイコン２ｄが取得した全体個数と予め定められた接続順から自身のマトリクスにおける配置位置を特定するディスプレイマイコン２ｄと、
映像入力２ａに入力された映像からディスプレイマイコン２ｄで特定した位置に対応する領域を切り出す映像処理部２ｂと、
映像処理部２ｂが切り出した領域の映像を拡大して表示する表示部２ｃと、を備え、
ディスプレイマイコン２ｄにより自身が終端であることを認識すると、自身の配置番号を複数のディスプレイ装置２１〜２９の全体個数として前のディスプレイ装置２８に出力するディスプレイマイコン２ｄと、ディスプレイマイコン２ｄが算出した前記行数および列数を前のディスプレイ装置に出力するディスプレイマイコン２ｄと、を更に備えていることを特徴とするマルチディスプレイシステム１。
【００７２】
このマルチディスプレイシステム１によれば、複数のディスプレイ装置２１〜２９のうち終端に接続されたディスプレイ装置２９が自身が終端であることを認識してマトリクスの行数および列数を算出し、その行数および列数と複数のディスプレイ装置２１〜２９の全体個数とマトリクスの接続順から自身の表示位置を特定して表示するとともに、複数のディスプレイ装置２１〜２９の全体個数と行数および列数を直列接続されている接続順における前のディスプレイ装置２８に出力して、接続順における前のディスプレイ装置では、その全体個数と行数および列数と配置番号とマトリクスの接続順とから自身の表示位置を特定して表示してすることができるために、行数や列数が予め設定されていない場合でも自身の表示位置を自動的に認識して設定することができる。
【００７３】
（付記３）複数のディスプレイ装置２１〜２９が所定の行数、列数のマトリクス状に組み合わされるとともに直列に接続されこの接続順が予め定められた複数のディスプレイ装置２１〜２９全体に１つの映像を表示するマルチディスプレイ表示方法であって、
前記複数のディスプレイ装置は、入力された映像を次のディスプレイ装置に出力し、複数のディスプレイ装置２１〜２９の先頭からの順番を示す配置番号を取得し、複数のディスプレイ装置２１〜２９の全体個数を次のディスプレイ装置から取得し、取得した配置番号と全体個数と予め定められたマトリクスの行数、列数および接続順から自身のマトリクスにおける配置位置を特定し、接続順における前のディスプレイ装置より入力された映像から特定した位置に対応する領域を切り出して拡大表示するとともに、自身が終端か否かを判断して終端であることを認識すると、自身の前記配置番号を複数のディスプレイ装置２１〜２９の全体個数として接続順における前のディスプレイ装置２８に出力することを特徴とするマルチディスプレイ表示方法。
【００７４】
このマルチディスプレイ表示方法によれば、複数のディスプレイ装置のうち終端に接続されたディスプレイ装置２９自身が終端であることを認識して複数のディスプレイ装置２１〜２９の全体個数を算出し、その全体個数と予め設定された行数列数および接続順から自身の表示位置を特定して表示するとともに、複数のディスプレイ装置２１〜２９の全体個数を直列接続されている接続順における前のディスプレイ装置２８に出力して、接続順における前のディスプレイ装置２８では、その全体個数と配置番号と予め設定された行数列数および接続順から自身の表示位置を特定して表示することができるために、自身の表示位置を自動的に認識して設定することができる。
【００７５】
（付記４）複数のディスプレイ装置２１〜２９がマトリクス状に組み合わされるとともに、直列に接続されこの接続順が予め定められた複数のディスプレイ装置２１〜２９全体に１つの映像を表示するマルチディスプレイ表示方法であって、
複数のディスプレイ装置は、入力された映像を次のディスプレイ装置に出力し、複数のディスプレイ装置の先頭からの順番を示す配置番号を取得し、自身がマトリクスの第１行目の終端であるか否かを検出し、マトリクスの行数および列数を隣接するディスプレイ装置から取得し、複数のディスプレイ装置の全体個数を次のディスプレイから取得し、取得した配置番号とマトリクスの行数および列数と全体個数と予め定められたマトリクスの接続順から自身のマトリクスにおける配置位置を特定し、前のディスプレイ装置より入力された映像から特定した位置に対応する領域を切り出して拡大表示するとともに、自身が終端か否かを判断して終端であることを認識すると、自身の前記配置番号を複数のディスプレイ装置２１〜２９の全体個数として前のディスプレイ装置２８に出力し、さらにマトリクスの行数および列数を算出して前のディスプレイ装置２８に出力することを特徴とするマルチディスプレイ表示方法。
【００７６】
このマルチディスプレイ表示方法によれば、複数のディスプレイ装置２１〜２９のうち終端に接続されたディスプレイ装置２９自身が終端であることを認識してマトリクスの行数および列数を算出し、その行数および列数と複数のディスプレイ装置２１〜２９の全体個数とマトリクスの接続順から自身の表示位置を特定して表示するとともに、複数のディスプレイ装置２１〜２９の全体個数と行数および列数を直列接続されている接続順における前のディスプレイ装置２８に出力して、接続順における前のディスプレイ装置２８では、その全体個数と行数および列数と配置番号とマトリクスの接続順とから自身の表示位置を特定して表示してすることができるために、行数や列数が予め設定されていない場合でも自身の表示位置を自動的に認識して設定することができる。
【００７７】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００７８】
【図１】本発明の第１の実施例にかかるマルチディスプレイシステムの構成図である。
【図２】図１に示されたマルチディスプレイシステムの直列接続の接続順を示した説明図である。
【図３】図１に示されたマルチディスプレイシステムのディスプレイ装置単体のブロック図である。
【図４】図３に示されたディスプレイ装置における配置位置の特定および映像の切り出し動作を示すフローチャートである。
【図５】図２の他の接続順を示した説明図である。
【図６】図２の他の接続順を示した説明図である。
【図７】図２の他の接続順を示した説明図である。
【図８】図２の他の接続順を示した説明図である。
【図９】本発明の第２の実施例にかかるディスプレイ装置における配置位置の特定および映像の切り出し動作を示すフローチャートである。
【符号の説明】
【００７９】
１        マルチディスプレイシステム
２１〜２９       ディスプレイ装置
２ａ             映像入力（映像入力手段）
２ｂ             映像処理部（切り出し手段）
２ｃ             表示部（表示手段）
２ｄ             ディスプレイマイコン（配置番号取得手段、全体個数取得手段、終端認識手段、配置位置特定手段、全体個数出力手段、行列数取得手段、行列数算出手段）
２ｅ             配置方向センサ上（行終端検出手段、検出手段）
２ｆ             配置方向センサ下（行終端検出手段、検出手段）
２ｇ             配置方向センサ右（行終端検出手段、検出手段）
２ｈ             配置方向センサ左（行終端検出手段、検出手段）
２ｊ             映像出力（映像出力手段）
【図１】
2009271424.tif 000003
【図２】
2009271424.tif 000004
【図３】
2009271424.tif 000005
【図４】
2009271424.tif 000006
【図５】
2009271424.tif 000007
【図６】
2009271424.tif 000008
【図７】
2009271424.tif 000009
【図８】
2009271424.tif 000010
【図９】
2009271424.tif 000011